(57)【特許請求の範囲】
【請求項１】
画像入力手段と、
前記画像入力手段による入力画像を判定する入力画像判定手段と、
環境光情報を取得する環境光情報取得手段と、
前記入力画像を前記環境光情報取得手段で取得した前記環境光情報に従い補正する画像補正手段であって、前記入力画像判定手段の判定結果に従い補正の要否を制御される画像補正手段と、
前記画像補正手段の出力画像を表示する表示手段
とを具備する画像表示装置であって、
ネットワークを介して接続するカメラによる撮影画像及びその環境光情報を受信する通信手段を具備し、
前記画像補正手段は、前記通信手段により受信された前記撮影画像をその環境光情報に従い補正する手段であって、前記入力画像判定手段の判定結果に従い補正の要否を制御される
ことを特徴とする画像表示装置。
【請求項２】
前記入力画像判定手段は、前記入力画像が撮影画像か否かを判定することを特徴とする請求項１に記載の画像表示装置。
【請求項３】
前記入力画像判定手段は、前記入力画像が環境光の影響をうけたまま表示させるべき画像か、前記環境光の影響をキャンセルさせて表示させるべき画像かを判定することを特徴とする請求項１に記載の画像表示装置。
【請求項４】
前記入力画像判定手段は、前記入力画像に付加されるフラグ、タグ、メタデータ、制御コマンド、並びに、外部からの操作に基づいた入力信号情報及び識別情報の何れかにより、前記入力画像を判定することを特徴とする請求項３に記載の画像表示装置。
【発明の詳細な説明】
【技術分野】
【０００１】
本発明は、画像表示装置に関し、より具体的には、画像内容に応じて環境光に対する補正を制御可能な画像表示装置に関する。
【背景技術】
【０００２】
【先行技術文献】
【特許文献】
【０００３】
【特許文献１】特許第３８５４６７８号公報
【特許文献２】特開２００１−０６００８２号公報
【０００４】
従来、環境光に応じて画像を補正する手段として、カラーマネージメントシステムが注目されている。カラーマネージメントシステムは、共通の色空間を用いることによりデバイスごとの色の違いを無くそうとするものであり、同じ色空間上の同じ座標の色は、視覚上同じ色に見えるべきであるという考えに基づく。全ての色を同じ色空間で表現し、その対応する座標を一致させることにより、色の見た目を一致させることができる。
【０００５】
たとえば、色空間としてＣＩＥ−ＸＹＺ色空間を用い、その内部記述座標値であるＸＹＺ三刺激値を用いて、デバイスごとの違いを補正する方法が知られている。この技術を使えば、どのような環境光の下でも、画像の色合いを忠実に再現できる。
【０００６】
特許文献１には、ネットワークを介して送信側から画像データを受信側に伝送するシステムにおいて、受信側で同じ色合いに見える印刷物を得られるようにする技術が記載されている。具体的には、送信側は、画像データとともに、送信側観察光情報と入力デバイスのプロファイル情報を受信側に送信する。受信側は、受信情報と出力デバイスのプロファイル情報及び受信側観察光情報とから、送信側観察光で見たのと同じ色合いで見えるように色再現された印刷物を生成する。
【０００７】
特許文献２には、照明光センサ又は表示装置の色再現性を確認するセンサを設け、撮影環境光や表示周辺の光の観測結果に従って、表示画像の見た目の色合いを安定化する技術が記載されている。また、照明光情報をネットワーク越しに送信し、色再現サーバから色変換プログラムをダウンロードし、適用することで、再現色を補正する。この技術を用いれば、ネットワーク越しの遠隔地医療の際に相手の顔色等も忠実に再現できる。
【発明の概要】
【発明が解決しようとする課題】
【０００８】
画像表示装置では、入力画像を表示環境に応じて補正して表示したいという要望がある。また、画像を遠隔地に伝送して表示する環境では、入力画像を、その作成場所、例えば、撮影場所での環境での見た目と同じ見た目になるように表示したいという要望がある。
【０００９】
ネットワークを介して２つの画像表示装置を接続し、両方で同じ画像を表示するシステムでは、環境光の相違に関わらず同じ色合いで画像を表示させたい場合と、相手の環境光下での見た目と同じ見た目で画像を表示させたい場合がある。例えば、プレゼンテーションのため又は鑑賞用もしくは報告用に静止画像又は動画像を２つの画像表示装置で表示する場合には、画像の色合いを忠実に再現することが必要である。また、臨場感を得るために、送信側又は受信側の環境での見た目に合わせたい場合もありうる。
【００１０】
本発明は、このような要望を満たしうる画像表示装置を提示することを目的とする。
【課題を解決するための手段】
【００１１】
本発明に係る画像表示装置は、画像入力手段と、前記画像入力手段による入力画像を判定する入力画像判定手段と、環境光情報を取得する環境光情報取得手段と、前記入力画像を前記環境光情報取得手段で取得した前記環境光情報に従い補正する画像補正手段であって、前記入力画像判定手段の判定結果に従い補正の要否を制御される画像補正手段と、前記画像補正手段の出力画像を表示する表示手段とを具備する画像表示装置であって、ネットワークを介して接続するカメラによる撮影画像及びその環境光情報を受信する通信手段を具備し、前記画像補正手段は、前記通信手段により受信された前記撮影画像をその環境光情報に従い補正する手段であって、前記入力画像判定手段の判定結果に従い補正の要否を制御されることを特徴とする。
【発明の効果】
【００１２】
本発明によれば、入力画像に応じて環境光補正の有無、あるいはその補正量を制御するので、より臨場感のある画像を表示したり、より忠実に色再現された画像を表示したりすることができる。
【００１３】
またＴＶ会議システム等ネットワークを介して送信される画像に対しても同様の動作/制御を行うことが可能となる。これにより、相手側があたかもこちらにいるような臨場感をもって相手側の様子を表示したり、相手側で見ているのと同じ様に忠実な色再現性を持って表示されたプレゼンテーション等の資料を見ることができる。
【図面の簡単な説明】
【００１４】
【図１】本発明の一実施例の概略構成ブロック図である。
【図２】図１に示す実施例を更に詳細に示す構成ブロック図である。
【図３】図１に示す実施例の動作フローチャートである。
【図４】本発明の第２実施例の概略構成ブロック図である。
【図５】図４に示す実施例の動作フローチャートである。
【発明を実施するための形態】
【００１５】
以下、図面を参照して、本発明の実施例を詳細に説明する。
【実施例１】
【００１６】
図１は、本発明に係る画像表示装置の一実施例の概略構成ブロック図である。制御部１２は、画像表示装置１０の各ブロックを制御する。画像入力部１４には、パーソナルコンピュータ（ＰＣ）等の情報処理装置４０からの画像信号が入力する。画像入力部１６には、その場の被写体（例えば，人物）４２を撮影するカメラ４４からの画像信号が入力する。入力画像判定部１８は、画像入力部１４，１６から入力する画像を判定する。
【００１７】
環境光センサ２０は、画像表示装置１０の環境光（図示例では照明光源４６の照明光）を計測する。環境光情報取得部２２は、環境光センサ２０を制御し、照明光源４６による照明光を計測した結果を環境光計測情報として取得する。画像補正部２４は、環境光情報取得部２２からの環境光情報に基づき、入力画像判定部１８からの入力画像を補正する。
【００１８】
画像変換部２６は、画像補正部２４の出力画像の解像度等を表示用に変換する。画像変換部２６はまた、インターレース信号からプログレッシブ信号への変換（Ｉ／Ｐ変換）を担うこともある。表示部２８は、画像変換部２６の出力画像データを表示素子上に展開して表示する。
【００１９】
図２は、画像表示装置１０のより詳細なブロック図を示す。図２に示す画像表示装置１０は、いわゆる液晶プロジェクタである。図１と同じ機能の構成要素には、同じ符号を付してある。
【００２０】
ユーザは、操作部５０により制御部１２に種々の指示を入力できる。電源部５２はバッテリ、ＡＣ電源又はその両方からなり、画像表示装置の各部に必要な電力を供給する。
【００２１】
表示部２８は、光源５４、光源５４の出力光を空間強度変調する空間光変調器としての液晶表示パネル５６、及び液晶表示パネル５６により強度変調された表示画像光をスクリーンに投影する投影光学系５８からなる。光源制御部６０は光源５４のオン／オフ及び出力光量を制御する。液晶駆動部６２は、入力画像信号に従い液晶表示パネル５６を駆動して、液晶表示パネル５６に画像を表示させる。液晶表示パネル５６は画像を表示可能な１枚又は３枚の液晶パネルからなる。光学系制御部６４は、投影光学系５８のズーム倍率や焦点の調整のために投影光学系５８のズームレンズ及びフォーカスレンズを制御する。光源測光部６６は、光源５４が発する照明光の光量又は輝度を計測する。
【００２２】
画像入力部１４，１６は、ここではＨＤＭＩ端子等からなり、外部のＰＣ又はＤＶＤ再生装置等からデジタル映像信号が入力する。ＨＤＭＩ端子の場合には、外部から制御信号も同時に送信されてくる場合があり、これにより、映像の制御等が行われることもある。もちろん、画像入力部１４，１６は、アナログ映像信号入力端子と、アナログ映像信号をデジタル信号に変換するＡ／Ｄ変換器からなる構成であってもよい。他には、ＵＳＢインターフェース、ネットワークを介して画像データ等を受信する通信装置であってもよい。
【００２３】
画像変換部２６は、先に説明した機能に加えて、液晶表示パネル５６の交流駆動用に画像補正部２４の出力画像の映像信号としてのフレームレートを倍にする。必要により、インターレース信号からプログレッシブ信号への変換（Ｉ／Ｐ変換）も行う。液晶表示パネルの交流駆動とは、液晶表示パネルの液晶にかける電圧の方向を交互に入れ替えて表示させる方法である。液晶表示パネルは、液晶にかける電圧の方向が正方向でも逆方向でも画像を生成できる性質を利用したものである。このとき、液晶駆動部６２には、正方向用の画像と逆方向用の画像を１枚ずつ送る必要があるので、画像変換部２６は、映像信号のフレーム数を倍にする。液晶駆動部６２は、画像変換部２６からの画像信号に基づいて、液晶表示パネル５６を交流駆動して、画像を表示させる。
【００２４】
スクリーンに対して斜め方向から画像を投影した場合、スクリーン上の投影画面が例えば台形状に歪んでしまう。画像変換部２６は、このような歪みを予め打ち消すように画像の形状を変形させる。この処理は、キーストン補正と呼ばれる。キーストン補正をする場合、液晶表示パネル５６に表示される画像の水平方向及び／又は垂直方向の拡大／縮小率を変更する。このようにして、投影画面の台形状の歪みが液晶表示パネル上での映像領域の歪みにより相殺され、正常なアスペクト比の長方形の映像表示に近づく形状でスクリーン上に投影画像が表示される。このキーストン補正は、傾きセンサ６８により得られた傾き角に基づいて自動的に動作しても良いし、ユーザによる操作部５０の操作に従って動作させてもよい。
【００２５】
傾きセンサ６８は、画像表示装置１０の傾きを検出する。タイマ７０は、画像表示装置１０の動作時間と各ブロックの動作時間等を検出する。温度計７２は、画像表示装置１０の光源５４の温度、液晶表示パネル５６の温度、及び外気温等を計測する。焦点検出部７４は、画像表示装置１０と不図示のスクリーンとの間の距離を検出する。情報表示部７６は、画像表示装置１０の状態及び警告等を表示する。冷却部７８は、画像表示装置１０内の熱を外部に放出するなどして、冷却する。冷却部７８は、例えば、ヒートシンクとファンからなる。
【００２６】
図３に示す動作フローチャートを参照して、図２に示す画像表示装置１０の動作を説明する。図１に示すように、例えば、画像入力部１４にはＰＣ等の情報処理装置４０が接続し、画像入力部１６にはカメラ４４が接続している。
【００２７】
制御部１２は、操作部５０による電源オンの指示の有無を判断する（Ｓ１）。電源オンの指示を検出すると（Ｓ１）、制御部１２は、電源部５２に各ブロックに電源を供給するように指示し、各ブロックを待機状態にする（Ｓ２）。次に、制御部１２は、光源５４の発光を光源制御部６０に指示する（Ｓ３）。
【００２８】
投影準備として、制御部１２は、焦点検出部７４により得られるスクリーンまでの距離情報等から、光学系制御部６４に指示して投影光学系５８を調整させる。光学系制御部６４は、投影光学系５８のズームレンズ及びフォーカスレンズを動作させて、スクリーン画面上に投影光を結像させる。
【００２９】
制御部１２は、環境光情報取得部２２に指示して、環境光センサ２０を駆動して画像表示装置１０の環境光を計測させる（Ｓ４）。これにより、制御部１２は、環境光データを取得する。
【００３０】
入力画像判定部１８は、画像入力部１４，１６を介して入力する画像信号を判定する（Ｓ５）。入力画像判定部１８が、カメラ４４からの撮影画像が入力していないと判定すると（Ｓ６）、画像補正部２４は、環境光情報取得部２２からの環境光情報を元に入力画像に所定の補正処理を行う（Ｓ７）。カメラ４４からの撮影画像である場合（Ｓ６）、画像補正部２４は、環境光情報に基づく画像補正を行わずに、入力画像データをそのまま出力する。
【００３１】
画像変換部２６は、画像補正部２４からの画像データの解像度を液晶表示パネル５６に適した解像度に変換し、ガンマ補正、輝度ムラ対策用補正及びキーストン補正を行う（Ｓ８）。
【００３２】
液晶駆動部６２は、画像変換部２６により処理された画像信号に従い液晶表示パネル５６を駆動する。これにより、液晶表示パネル５６が画像を表示する（Ｓ９）。光源５４の出力光が、液晶表示パネル５６に表示される画像により空間的に強度変調され、投影光学系５８により不図示のスクリーンに投影される。この表示投影中に、制御部１２は、光源５４等の温度を温度計７２により検出する。例えば、光源５４の温度が４０度以上になると、制御部１２は、冷却部７８を動作させて光源５４を冷却する。
【００３３】
操作部５０によりユーザが電源オフを指示したか否かを判断する（Ｓ１０）。電源オフの指示があると（Ｓ１０）、制御部１２は、各ブロックに終了処理を指示する（Ｓ１１）。終了の準備が整うと、電源部５２は、各ブロックへの電源供給を順次終了する。冷却部７８は、電源オフの後、しばらく動作する。必要箇所が冷却したら，画像表示装置１０は、一連の動作を終了する。
【００３４】
このように、本実施例では、入力画像を判定し、入力画像に対する環境光補正の要否を制御している。すなわち、入力画像の内容によって、臨場感のある画像を表示するか、より忠実に色再現された画像を表示するかを制御している。
【００３５】
本実施例では、表示すべき画像がカメラからの撮影画像であるか否かで環境光補正を行なうか否かを制御したが、本発明はそれに限定されない。環境光の影響を受けたまま表示させるべき画像か、あるいは入力画像が環境光の影響をキャンセルして表示させる画像であるか否かを判断できればよい。例えば、ＰＣ等の情報処理装置からの画像であるか否かで環境光補正を行なうことを判断してもよい。例えば、文書作成、表形成又は報告書作成のアプリケーションソフトウエアで作成された画像でも、ＣＡＤ図、観賞用・検討用の動画像・静止画像でも、同様の効果を得る事ができる。
【００３６】
入力画像判定部１８は、画像そのものを直接解析して判断しても、画像に付加されたフラグや、タグ、メタデータ又は制御コマンド等で判断しても良い。更には、ユーザ等による外部からの操作に基づいた入力信号情報又は識別情報等によって判断しても、同様の効果を得る事ができる。
【００３７】
画像そのものを直接判断する例として、画像内の被写体検出／人物検出を行い、この結果に応じて判断を行なってもよい。被写体認識により予め指定された被写体を検出し認識した場合に、この結果に応じて判断を行なってもよい。
【００３８】
入力画像によって環境光補正の補正量を制御したり、或いは入力画像の撮影時の環境光等をキャンセルするように制御しても、同様の効果を得る事ができる。この様にすることにより、より精度の高い臨場感のある画像を表示することができるようになる。
【００３９】
本実施例では、環境光の情報を取得する為の環境光センサ２０として、専用のセンサ以外に，他の用途の撮像素子又は測光センサを利用しても良い。環境光を直接計測しても、スクリーン等からの反射光を計測しても良い。
【００４０】
図２に示す構成では、液晶表示パネルを使用しているが、他に、ＤＭＤパネルを内蔵したプロジェクタ、ＣＲＴ画像モニタ、又は、ＴＶ受像機にも適用できる。ＴＶ会議システム等の画像表示装置を含んだシステムであっても、入力画像により環境光補正量を変更する工程／アルゴリズム等であっても、同様の効果を得ることができる。
【実施例２】
【００４１】
次に、画像をテレビ会議システムのように、ネットワークを介して２台の画像表示装置が接続し，一方の表示画像を他方にも伝送して表示するシステムに適用した実施例を説明する。
【００４２】
会議室Ａ，Ｂには、それぞれ図１に示す画像表示装置１０に相当する機能要素に通信部４８Ａ，４８Ｂを追加した画像表示装置１０Ａ，１０Ｂが配置される。会議室Ａ内の、図１に示す構成と同じ機能ブロックには同じ符号に符号Ａを付加してある。同様に、会議室Ｂにおいて、図１に示す構成と同じ機能ブロックには同じ符号に符号Ｂを付加してある。画像表示装置１０Ａ，１０Ｂは更に、図２に示す各機能要素を具備する。画像表示装置１０Ａが画像表示装置１０Ｂから送信された画像を表示するとき、画像表示装置１０Ｂは、画像表示装置１０Ａに画像を送信する画像送信装置となる。逆に、画像表示装置１０Ｂが画像表示装置１０Ａから送信された画像を表示するとき、画像表示装置１０Ａは、画像表示装置１０Ｂに画像を送信する画像送信装置となる。
【００４３】
制御部１２Ａ，１２Ｂは、通信部４８Ａ，４８Ｂを使いネットワーク８０を介して画像表示装置１０Ｂ，１０Ａとの間で種々のデータ及び制御信号を送受信できる。ネットワーク８０は、例えば，ＬＡＮ、ＷＡＮ又はインターネット等である。理解を容易にするために，照明光源４６Ａ，４６Ｂはタイプが異なるとする。
【００４４】
図５は、図４に示すシステムの動作フローチャートを示す。図５を参照して，図４に示すシステムの動作を説明する。画像表示装置１０Ａでは、画像入力部１４Ａに情報処理装置４０Ａからの画像信号が入力する。画像入力部１６Ａには、その場の被写体（例えば，人物）４２Ａを撮影するカメラ４４Ａからの画像信号が入力している。同様に、画像表示装置１０Ｂでは、画像入力部１４Ｂに情報処理装置４０Ｂからの画像信号が入力する。画像入力部１６Ｂには、その場の被写体（例えば，人物）４２Ｂを撮影するカメラ４４Ｂからの画像信号が入力している。
【００４５】
まず、ＴＶ会議室Ａでの動作を説明する。画像表示装置１０Ａの制御部１２Ａは、操作部からの電源オンの指示の有無を判断する（Ｓ２１）。電源オンの指示に応じて、制御部１２Ａは、電源部に各ブロックに電源を供給するように指示し、各ブロックを待機状態にする（Ｓ２２）。
【００４６】
制御部１２Ａは、投影表示の準備のために，投影の光源を発光させる（Ｓ２３）。スクリーンまでの距離情報等から投影光学系のズームとフォーカスを調整し、スクリーン画面上に投影光を結像させる。
【００４７】
投影準備動作と並行して、制御部１２Ａは環境光情報取得部２２Ａに指示して、環境光センサ２０Ａを駆動して画像表示装置１０Ａの環境光を計測させる（Ｓ２４）。これにより、制御部１２Ａは、環境光データを取得する。
【００４８】
制御部１２Ａは、通信部４８Ａにより、画像入力部１４Ａ，１６Ａの入力画像のうちの指定したものとその付加情報、及び、ステップＳ２４で取得した環境光データを会議室Ｂの画像表示装置１０Ｂに送信する（Ｓ２５）。この送信動作と並行に、制御部１２Ａは、会議室Ｂの画像表示装置１０Ｂから送信された情報（画像、その付加情報及び環境光データ）を、通信部４８Ａを介して受信する（Ｓ２６）。
【００４９】
制御部１２Ａは、画像入力部１４Ａ，１６Ａの入力画像、及び、通信部４８Ａから入力する画像（画像表示装置１０Ｂからの画像）のどれを表示するかを選択する（Ｓ２７）。通信部４８Ａから入力する画像（画像表示装置１０Ｂからの画像）を表示する場合、制御部１２Ａは、通信部４８Ａからの画像データを入力画像判定部１８Ａに供給する。
【００５０】
制御部１２Ａは、表示用に選択された画像の内容を入力画像判定部１８Ａに判定させる（Ｓ２８）。表示用に選択された画像が、画像表示装置１０Ａの画像入力部１４Ａ，１６Ａから入力した撮影画像である場合（Ｓ２８）、画像補正部２４Ａは、入力画像判定部１８Ａからの画像データを補正無しでスルーする。画像表示装置１０Ｂからの撮影画像である場合（Ｓ２８）、画像補正部２４Ａは、会議室Ｂからの環境光データ、すなわち撮影環境情報を参照し、会議室Ｂでの環境光をキャンセルするような補正を入力画像データに適用する（Ｓ２９）。
【００５１】
表示用に選択された画像が撮影画像でない場合（Ｓ２８）、画像補正部２４Ａは、環境光情報取得部２２Ａからの環境光情報を参照し、会議室Ａでの環境光をキャンセルするような補正を入力画像データに適用する（Ｓ３０）。すなわち、照明光源４６Ａの影響をキャンセルする画像補正を適用する。
【００５２】
画像変換部２６Ａは、画像補正部２４Ａからの画像データの解像度を表示部２８Ａの液晶表示パネルに適した解像度に変換し、ガンマ補正、輝度ムラ対策用補正及びキーストン補正を行う（Ｓ３１）。表示部２８Ａは、画像変換部２６Ａからの画像を投影表示する（Ｓ３２）。
【００５３】
ユーザが電源オフを指示したか否かを判断する（Ｓ３３）。電源オフの指示があると（Ｓ３３）、制御部１２Ａは、各ブロックに終了処理を指示する（Ｓ３４）。終了の準備が整うと、画像表示装置１０Ａの電源部は、各ブロックへの電源供給を順次終了し、画像表示装置１０Ａは、一連の動作を終了する。
【００５４】
ＴＶ会議室Ｂの画像表示装置１０Ｂの動作を説明する。基本的には、入力画像の内容による画像補正を変更していることを除いて、画像表示装置１０Ａの動作と同じである。
【００５５】
画像表示装置１０Ｂの制御部１２Ｂは、操作部からの電源オンの指示の有無を判断する（Ｓ４１）。電源オンの指示に応じて、制御部１２Ｂは、電源部に各ブロックに電源を供給するように指示し、各ブロックを待機状態にする（Ｓ４２）。
【００５６】
制御部１２Ｂは、投影表示の準備のために，投影用の光源を発光させる（Ｓ４３）。スクリーンまでの距離情報等から投影光学系のズームとフォーカスを調整し、スクリーン画面上に投影光を結像させる。
【００５７】
投影準備動作と並行して、制御部１２Ｂは環境光情報取得部２２Ｂに指示して、環境光センサ２０Ｂを駆動して画像表示装置１０Ｂの環境光を計測させる（Ｓ４４）。これにより、制御部１２Ｂは、環境光データを取得する。
【００５８】
制御部１２Ｂは、通信部４８Ｂにより、画像入力部１４Ｂ，１６Ｂの入力画像のうちの指定したものとその付加情報、及び、ステップＳ４４で取得した環境光データを画像表示装置１０Ａに送信する（Ｓ４５）。この送信動作と並行に、制御部１２Ｂは、画像表示装置１０Ａから送信された情報（画像、その付加情報及び環境光データ）を、通信部４８Ｂを介して受信する（Ｓ４６）。
【００５９】
制御部１２Ｂは、画像入力部１４Ｂ，１６Ｂの入力画像、及び、通信部４８Ｂから入力する画像（画像表示装置１０Ａからの画像）のどれを表示するかを選択する（Ｓ４７）。通信部４８Ｂから入力する画像（画像表示装置１０Ａからの画像）を表示する場合、制御部１２Ｂは、通信部４８Ｂからの画像データを入力画像判定部１８Ｂに供給する。
【００６０】
制御部１２Ｂは、表示用に選択された画像に対する画像補正の補正量を決定する（Ｓ４８）。補正量の決定方法には、入力画像に応じて予め準備された複数の３Ｄ−ＬＵＴ等を選択する方法がある。また、入力画像パラメータと環境光データとを演算することで求める方法や、ネットワーク８０を介して会議室Ａ送られる環境光データに基づいて決定する方法等でもよい。画像補正部２４Ｂは、入力画像判定部１８Ｂからの画像データを、決定された補正量で補正する（Ｓ４９）。
【００６１】
画像変換部２６Ｂは、画像補正部２４Ｂからの画像データの解像度を表示部２８Ｂの液晶表示パネルに適した解像度に変換し、ガンマ補正、輝度ムラ対策用補正及びキーストン補正を行う（Ｓ５１）。表示部２８Ｂは、画像変換部２６Ｂからの画像を投影表示する（Ｓ５２）。
【００６２】
ユーザが電源オフを指示したか否かを判断する（Ｓ５３）。電源オフの指示があると（Ｓ５３）、制御部１２Ｂは、各ブロックに終了処理を指示する（Ｓ５４）。終了の準備が整うと、画像表示装置１０Ｂの電源部は、各ブロックへの電源供給を順次終了し、画像表示装置１０Ｂは、一連の動作を終了する。
【００６３】
このように、本実施例では、ネットワークを介したＴＶ会議システムを構成する画像表示装置において、入力画像の判定結果に従い、入力画像に対して環境光補正を行なうか否かを制御している。これにより、ＴＶ会議における相手側参加者を撮影した画像を臨場感のある画像として表示することや、発表資料等をより忠実に色再現した画像として表示することが可能になる。
【００６４】
表示すべき画像が撮影画像か否かで環境光に基づく補正を適用するか否かを制御したが、本発明は、それに限定されない。すなわち、環境光の影響を受けたまま表示させるべき画像か、環境光の影響をキャンセルして表示させるべき画像か判断できればよい。例えば、ＰＣ等の情報処理装置からの画像であるか否かで環境光補正を行なうことを判断してもよい。例えば、文書作成、表形成又は報告書作成のアプリケーションソフトウエアで作成された画像でも、ＣＡＤ図、観賞用・検討用の動画像・静止画像でも、同様の効果を得る事ができる。
【００６５】
入力画像判定部１８Ａ，１８Ｂは、画像そのものを直接解析して判断しても、画像に付加されたフラグや、タグ、メタデータ又は制御コマンド等で判断しても良い。更には、ユーザ等による外部からの操作に基づいた入力信号情報又は識別情報等によって判断しても、同様の効果を得る事ができる。
【００６６】
画像そのものを直接判断する例として、画像内の被写体検出／人物検出を行い、この結果に応じて判断を行なってもよい。被写体認識により予め指定された被写体を検出し認識した場合に、この結果に応じて判断を行なってもよい。
【００６７】
入力画像によって環境光補正の補正量を制御したり、或いは入力画像の撮影時の環境光等をキャンセルするように制御しても、同様の効果を得る事ができる。この様にすることにより、より精度の高い臨場感のある画像を表示することができるようになる。
【００６８】
本実施例では、環境光の情報を取得する為の環境光センサ２０Ａ，２０Ｂとして、専用のセンサ以外に，他の用途の撮像素子又は測光センサを利用しても良い。環境光を直接計測しても、スクリーン等からの反射光を計測しても良い。
【符号の説明】
【００６９】
１０，１０Ａ，１０：画像表示装置
１８，１８Ａ，１８Ｂ：入力画像判定部
２０，２０Ａ，２０Ｂ：環境光センサ
２２，２２Ａ，２２Ｂ：環境光情報取得部
２４，２４Ａ，２４Ｂ：画像補正部
【図１】
0005455506.tif 000002
【図２】
0005455506.tif 000003
【図３】
0005455506.tif 000004
【図４】
0005455506.tif 000005
【図５】
0005455506.tif 000006